(57)【要約】【課題】ズボンやスカートのベルト、上縁等に着脱自在に取り付けて、使い勝手の良い携帯電話ホルダーを提供する。【解決手段】  携帯電話の下方部左右両サイドと上端部を係止する複数の係止爪１ａ，１ａ，１ｂを表面に突設した保持体１において、下方部左右両サイドの係止爪１ａ，１ａに隣接させて携帯電話の下方部と係合する係合壁２，２，３，３を係止爪１ａ，１ａの高さより低くして保持体１の下方部に突設し、保持体１の裏面に引掛部材４を設けた携帯電話ホルダーで、引掛部材４を一定の角度で左右に角度回転割出し設定可能にし、装着された携帯電話の向きが変えられるようにしたものである。【選択図】図１
0003113819.tif 000002
【実用新案登録請求の範囲】
【請求項１】
携帯電話の下方部左右両サイドと上端部を係止する複数の係止爪を表面に突設した保持体において、下方部左右両サイドの係止爪に隣接させて携帯電話の下方部と係合する係合壁を係止爪の高さより低くして保持体の下方部に突設し、保持体の裏面には引掛部材を設けてなることを特徴とする携帯電話ホルダー。
【請求項２】
下方部左右両サイドを係止する係止爪は、爪先が折り畳んだ携帯電話の折り畳み目に挿入されて携帯電話本体の稜面を係止するように形成されてなることを特徴とする請求項１記載の携帯電話ホルダー。
【請求項３】
上端部を係止する係止爪は、表面に弾性質の被膜がコーティングされて携帯電話の折り畳み蝶番部を係止するように形成されてなることを特徴とする請求項１又は請求項２記載の携帯電話ホルダー。
【請求項４】
引掛部材は、スプリングを介在させて保持体とで挟持するようにすると共に、一定の角度で回転割出し設定可能な構造にしてなることを特徴とする請求項１乃至請求項３のいずれか１項に記載の携帯電話ホルダー。
【考案の詳細な説明】
【技術分野】
【０００１】
本考案は、ズボンやスカートのベルト、及び上縁等に着脱自在に取り付けて、携帯電話の使い勝手を良くした携帯電話ホルダーに関するものである。
【背景技術】
【０００２】
携帯電話は、一般的に衣類の胸ポケットやズボンのポケット、及びハンドバッグ等に入れて携帯されているが、胸ポケットに入れて携帯する場合に屈んだりするとポケットから落下して損傷し、使用不能になったり、ハンドバッグ等に入れて携帯する場合、着信音が聞き取れなかったり、バッグを開けて取り出すのに手間どるなどの問題点を有している。
【０００３】
上記問題点に鑑み、ズボンやスカートのベルト、及び上縁等に着脱可能に取り付けて携帯電話（携帯電話機）を保持し得る携帯電話ホルダーは種々開示され、周知されている。（例えば、特許文献１参照）
【特許文献１】実用新案登録第３０７７１２８号公報
【考案の開示】
【考案が解決しようとする課題】
【０００４】
しかしながら、上記特許文献１に記載される携帯電話ホルダーは、折り畳み式携帯電話の実施形態として、保持体に複数の係止爪が突設され、該係止爪を携帯電話に形成された小凹部に係止させることにより携帯電話を保持する保持手段としてあり、前記係止爪と小凹部の位置合わせに手間取って携帯電話を迅速に着脱できない恐れがあること、及びズボンやスカートのベルト、上縁等に取り付けるための係止舌部が保持体と一体に形成されて固定されたものであるため、使い勝手が良くないなどの問題点がある。
よって、本考案はこのような問題点を解決し得る携帯電話ホルダーを提供することを課題とする。
【課題を解決するための手段】
【０００５】
上記課題を達成するため、本考案は以下に記載するような手段を講じてなる携帯電話ホルダーとするものである。
すなわち、
（１）携帯電話の下方部左右両サイドと上端部を係止する複数の係止爪を表面に突設した保持体において、下方部左右両サイドの係止爪に隣接させて携帯電話の下方部と係合する係合壁を係止爪の高さより低くして保持体の下方部に突設し、保持体の裏面には引掛部材を設けてなることを特徴とする携帯電話ホルダーである。
（２）下方部左右両サイドを係止する係止爪は、爪先が折り畳んだ携帯電話の折り畳み目に挿入されて携帯電話本体の稜面を係止するように形成されてなることを特徴とする前項（１）記載の携帯電話ホルダーである。
（３）上端部を係止する係止爪は、表面に弾性質の被膜が、コーティングされて携帯電話の折り畳み蝶番部を係止するように形成されてなることを特徴とする前項（１）又は（２）記載の携帯電話ホルダーである。
（４）引掛部材は、スプリングを介在させて保持体とで挟持するようにすると共に、一定の角度で回転割出し設定可能な構造にしてなることを特徴とする前項（１）〜（３）のいずれか１項に記載の携帯電話ホルダーである。
【考案の効果】
【０００６】
上記手段にて記載するように、本考案は、携帯電話の下方部左右両サイドと上端部を係止する複数の係止爪を表面に突設した保持体において、下方部左右両サイドの係止爪に隣接させて携帯電話の下方部と係合する係合壁を係止爪の高さより低くして保持体の下方部に突設し、保持体の裏面には引掛部材を設けたものであり、携帯電話の装着時に、下方部が係合壁にガイドされて位置合わせすることなくスムーズに係合装着されると共に、係合壁は高さを低くして携帯電話の下部を係合するので携帯電話の側部に設けられた機能を遮蔽することなく安定して保持され、見た目もスマートな形状となる。
【０００７】
又、引掛部材を、スプリングを介在させて保持体とで挟持するようにし、一定の角度で回転割出して設定できるような構造にすることにより、装着した携帯電話を適度な角度にして装着でき、使い勝手は良くなる。
【０００８】
更に、上端部を係止する係止爪の表面を弾性質の被膜でコーティングすることにより、着脱による繰返しの擦りで携帯電話に傷がつくのを防止することができる。
【考案を実施するための最良の形態】
【０００９】
本考案を実施するための最良の形態は、携帯電話の下方部左右両サイドと上端部を係止する複数の係止爪を表面に突設した保持体において、下方部左右両サイドの係止爪に隣接させて携帯電話の下方部と係合する係合壁を係止爪の高さより低くして保持体の下方部に突設し、保持体の裏面に引掛部材を設けた実施形態である。以下実施例にて図面を参照して説明する。
【実施例１】
【００１０】
図１は、本考案の実施例を示す斜視図であり、（Ａ）は表面を示し、（Ｂ）は裏面を示す。図示するように、携帯電話の下方部左右両サイドを係止する係止爪１ａ，１ａと、上端部を係止する係止爪１ｂの複数の係止爪を突設した保持体１において、下方部左右両サイドの係止爪１ａ，１ａに隣接させて携帯電話の下方部と係合する係合壁２，２，３，３を係止爪１ａ，１ａの高さより低くして保持体１の下方部に突設されており、保持体１の裏面には引掛部材４が設けられている。
【００１１】
保持体１は、下方部左右両サイドに突設された係止爪１ａ，１ａと上端部に突設された係止爪１ｂとで携帯電話の下方部左右両サイドと上端部をスプリング性をもたせて保持するように形成すべく例えば弾力性のある合成樹脂等で形成され、前記係止爪１ａ，１ａは爪先が折り畳んだ携帯電話の折り畳み目に挿入され、携帯電話本体の稜面をスプリング性をもたせて係止するように形成され、上端部に突設された係止爪１ｂは表面に弾性質の被膜がコーティング（図示せず）されて携帯電話の折り畳み蝶番部をスプリング性をもたせて係止するように形成されている。
【００１２】
又、前記係止爪１ａ，１ａに隣接させて突設された係合壁２，２，３，３は、携帯電話の下方部が係合すべく、携帯電話の機種に応じて形成され、折畳んだ携帯電話の下方部の１／３〜１／４程度がカバーされるようにして携帯電話の側面に設けられた機能部が遮蔽されないようにすると共に、突設した高さは係止爪１ａ，１ａより低くして機種により異なる携帯電話本体の厚さと略同一か僅かに低くする。
【００１３】
更に携帯電話の機種により長さが変わり、縦長にしたり、上端部に突設された係止爪１ｂの奥行きも変えたりして形成し、必要に応じて穴や切欠き等を適宜設けてスプリング性をもたせるなど使い易さや機能性の向上及び軽量化、材料の節減等を図るものとする。本実施例では、係止爪１ｂによる係止にスプリング性をもたせるための穴１ｃと、携帯電話取り外し等の指掛けとして切欠き１ｄが設けられている。
【００１４】
保持体１の裏面に設けられた引掛部材４は、図２に示すようにスプリング５を介在させ、軸６で軸支されて一体に組み付けられた支持板７の下方部が保持板１の裏面に突設された胴軸部８に回動自在に嵌合されていて、胴軸部８の内側に突設された芯軸部９との間に嵌入され溝８ａで回り止めされた先端部が楔状の弾力部材１０が、支持板７の軸受部の凹穴１１，…に係合することで角度回転割出し設定ができるようにし、支持板７が抜けないように軸受部を止め蓋１２で止めて、前記スプリング５により、引掛部材４の下面と保持板１の裏面が当接するようにして挟持されるようにしてある。引掛部材４の下面は凹凸４ａを付けたり、該凹凸を弾性質の被膜でコーティング（図示せず）するなどしてズボンやスカートのベルトや上縁等に引掛けて使用する時の抜け止めを施すと良い。
【００１５】
そして、前記凹穴１１，…を、例えば３０度の角度割出し間隔にして設けると、引掛部材４は保持体１に対して３０度の角度間隔で角度回転割出し設定され、保持体１に保持された携帯電話の向きを３０度宛左右に変えて適当な向きにすることができ、左右横水平にした状態で、ストッパー１３，１３で止めるようにしてある。
【００１６】
なお、上記引掛部材４は、図３に示すような構造でも角度回転割出し設定が可能である。すなわち、保持板１の裏面に突設された胴軸部８Ａに回動自在に嵌合された支持板７の軸受部の凹穴１１，…に、溝８ｂに嵌入された楔状のピン１０ａがコイル状のバネ１４で押されて係合することで角度回転割出し設定ができるようにし、軸受部を止め蓋１２で止めて支持板７が抜けないようにしてある。前記楔状のピン１０ａの代りにボール等の球体（図示せず）を使用しても良い。
【００１７】
図４，図５，図６は以上のようにしてなる引掛部材４の角度割出し作動例を示す説明図である。図４は角度回転割出し設定に、先端部が楔状の弾力部材１０を使用した作動例であり、図５は角度回転割出し設定に楔状のピン１０ａを使用してコイル状のバネ１４で押すようにした作動例である。
【００１８】
図４の作動例では、支持板７が矢印の方向に回動すると弾力部材１０の楔状先端が凹溝１１の斜面で押されると圧縮され、抗力を受けながら回動して次位置の凹穴１１に嵌入係合して角度回転割出し位置が設定される。弾力部材１０は、伸縮自在となるようにリング状に形成されて胴軸部８と芯軸部９との間に圧縮代（しろ）を考慮して嵌入されている。
【００１９】
図５の作動例では、支持板７が矢印の方向に回動するとコイル状のバネ１４に押された楔状のピン１０ａの先端が凹溝の斜面で押されてバネ１４が縮み、抗力を受けながら回動して次位置の凹穴１１に嵌入係合して角度回転割出し位置が設定される。
以上のようにして順次回動させながら適当な角度に設定して使用する。角度回転割出し位置は、図６に示すように支持板７が横水平方向になった位置でストッパー１３により止められる。逆方向も同様であり、支持板７の回動により一体に組み付けられた引掛部材も支持板７と同じ角度回転割出し位置で設定される。
【００２０】
図７は、本考案に折り畳んだ携帯電話を装着した例を示す斜視図である。保持体１の下方部左右両サイドに突設された係止爪１ａ，１ａが折り畳んだ携帯電話１５の下方部左右両サイドの折り畳み目に挿入され、携帯電話本体の稜面を係止して、係止爪１ａに隣接した係合壁２，３で携帯電話本体の下方部が係合されており、上端部に突設された係止爪１ｂで折り畳んだ携帯電話１５の蝶番部分が係止されている。
【図面の簡単な説明】
【００２１】
【図１】本考案の実施例を示す斜視図で（Ａ）は表面図、（Ｂ）は裏面図である。
【図２】引掛部材の要部断面図で、（ａ）は平面図、（ｂ）は（ａ）のＳ−Ｓ断面図である。
【図３】引掛部材の角度回転割出し構造の要部断面図で、（ａ）は平面図、（ｂ）は（ａ）のＴ−Ｔ断面図である。
【図４】角度回転割出し作動の要部断面平面図である。
【図５】他の実施形態による角度回転割出しの要部断面平面図である。
【図６】横水平状態の角度回転割出し作動の平面図である。
【図７】携帯電話装着例を示す斜視図である。
【符号の説明】
【００２２】
１  保持体
１ａ，１ｂ  係止爪
１ｃ  穴
１ｄ  切り欠
２，３  係合壁
４  引掛部材
４ａ  凹凸
５  スプリング
６  軸
７  支持板
８，８Ａ  胴軸部
８ａ，８ｂ  溝
９  芯軸部
１０  弾力部材
１０ａ  ピン
１１  凹穴
１２  止め蓋
１３  ストッパー
１４  バネ
１５  携帯電話
【図１】
0003113819.tif 000003
【図２】
0003113819.tif 000004
【図３】
0003113819.tif 000005
【図４】
0003113819.tif 000006
【図５】
0003113819.tif 000007
【図６】
0003113819.tif 000008
【図７】
0003113819.tif 000009